(57)【要約】【課題】部品点数を少なくして、小型化及び製品コスト低減が可能となるとともに、扉からの出寸法を小さくできる防犯サムターンを提供する。【解決手段】防犯サムターンにおいて、被取付体に固定される固定筒４５と、被取付体に回転自在に支持されるコアベース３１と、固定筒４５に回転自在に取り付けられるサムターン本体３７と、サムターン本体３７の回転を阻止するストッパーと、サムターン本体３７に固定され腕部５１を有するサムターンボス４９と、サムターン本体３７から突出され押し込まれることでストッパーの係合を解除するボタンと、コアベース３１に突設されコアベース３１とサムターンボス４９を連動させる弧状突起４７と、ストッパーに形成され弧状突起４７により押圧されてストッパーの係合を解除するストッパー解除板７１と、コアベース３１に装着され弧状突起４７の遊び空間に腕部５１を中立保持する腕部付勢バネ５３と、を設けた。【選択図】  図６
2014173380.tif 000002
【特許請求の範囲】
【請求項１】
被取付体に固定される固定筒と、
前記被取付体に回転自在に支持され入出力部材に連結されるコアベースと、
前記固定筒に回転自在に取り付けられて屋内側へ突出するサムターン本体と、
前記固定筒に軸線直交方向で摺動自在に内設され前記固定筒に係合することで前記サムターン本体の回転を阻止する一対のストッパーと、
前記サムターン本体に固定され前記コアベースに所定の遊び角を許容して連動回転するサムターンボスと、
脚部を有して前記サムターン本体の外周面から一部が突出され同時に押し込まれることでサムターン本体の半径方向内側へスライドされ前記脚部を介して前記ストッパーの係合を解除する一対のボタンと、
前記一対のボタンを離反方向に付勢することで前記脚部を介して前記ストッパーを係合方向に付勢するボタン付勢バネと、
前記サムターンボスのコアベース側の面に突設される一対の腕部と、
前記コアベースのサムターンボス側の面に突設され前記腕部と係合して前記コアベースと前記サムターンボスを連動する一対の弧状突起と、
前記ストッパーに形成され前記弧状突起により押圧されて前記固定筒に対する前記ストッパーの係合を解除するストッパー解除板と、
前記コアベースに装着され前記一対の弧状突起の遊び空間に相対移動可能に配置される前記腕部を中立位置に保持する腕部付勢バネと、
を具備することを特徴とする防犯サムターン。
【請求項２】
請求項１記載の防犯サムターンであって、
前記サムターン本体には、回転位置確認手段が設けられていることを特徴とする防犯サムターン。
【発明の詳細な説明】
【技術分野】
【０００１】
本発明は、扉の屋内面に突出させた摘みの回転を規制することで、不正な解錠操作を阻止する防犯サムターンに関する。
【背景技術】
【０００２】
マンションや住宅等に設けられる玄関扉には錠箱が設けられ、錠箱は扉木口から進退させたデッドボルトを扉枠に係合・係合解除させて、扉を施解錠する施解錠機構を内蔵している。施解錠機構は、屋外側からはシリンダー錠により、屋内側からはサムターンにより施解錠動作される。すなわち、屋外側からは合鍵による操作が必要になる一方、屋内側からはサムターンのみで施解錠が簡便に行えるようになっている。
【０００３】
ところが、近年、ポスト口や、機械工具によって扉等に開けた小さな穴から棒や針金等を挿入し、回転操作の容易なサムターンに係止して回転させ、施錠装置を解錠する不正解錠が増えている。このようなサムターンに針金等を係止して回転させることを防止するものに例えば針金等の係止が困難となる円形状の防犯カバーがある。しかし、この種の防犯カバーは、本来回転位置によって視認できたサムターンの施錠または非施錠が視認できなくなり、誤操作が生じ易くなって、操作性を低下させる問題があった。そこで、防犯カバーによらない下記特許文献１に開示される防犯サムターンが提案されている。
【０００４】
この防犯サムターンは、固定筒に内設されるコア軸と、固定筒内に内設されるサムターン筒と、サムターン筒に摺動自在に内設されるストッパーと、サムターン筒に連動回転しストッパー退避凹部を有したサムターンボスと、サムターンボスに取り付けられる摘みと、ストッパーの係合を解除する一対のボタンと、ストッパーを挟む一対の解除交差部材と、コア軸の回転によって開脚され、この開脚動作によって一対のストッパーを係合解除方向に摺動させる二対の挟持板とを設けている。
【０００５】
この防犯サムターンによれば、ボタン押下による規制解除によって摘みが回転可能となるので、ボタンを押下しながら摘みに回転力を加えなければ摘みによる操作は行えず、これにより、挿入した針金や棒等を摘みに引っ掛ける等して、サムターン摘みを回転することによる不正解錠を阻止でき、防犯性を向上させることができる。
【先行技術文献】
【特許文献】
【０００６】
【特許文献１】特許第４３４３６７９号公報
【発明の概要】
【発明が解決しようとする課題】
【０００７】
しかしながら、上記した防犯サムターンは、固定筒、コア軸、サムターン筒、ストッパー、サムターンボス、摘み、一対のボタンに加え、一対の解除交差部材、二対の挟持板を必要とし、部品点数が多い。このため小型化しにくく、製品コストの低減が困難となる。また、上記した多くの部品をキーウェイに沿う方向に組み込まなければならないため、扉からの出寸法を小さくしにくかった。
【０００８】
本発明は上記状況に鑑みてなされたもので、その目的は、部品点数を少なくして、小型化及び製品コスト低減が可能となるとともに、扉からの出寸法を小さくできる防犯サムターンを提供することにある。
【課題を解決するための手段】
【０００９】
次に、上記の課題を解決するための手段を、実施の形態に対応する図面を参照して説明する。
本発明の請求項１記載の防犯サムターン１１は、被取付体１５に固定される固定筒４５と、
前記被取付体１５に回転自在に支持され入出力部材３３に連結されるコアベース３１と、
前記固定筒４５に回転自在に取り付けられて屋内側へ突出するサムターン本体３７と、
前記固定筒４５に軸線直交方向で摺動自在に内設され前記固定筒４５に係合することで前記サムターン本体３７の回転を阻止する一対のストッパーと、
前記サムターン本体３７に固定され前記コアベース３１に所定の遊び角を許容して連動回転するサムターンボス４９と、
脚部を有して前記サムターン本体３７の外周面から一部が突出され同時に押し込まれることでサムターン本体３７の半径方向内側へスライドされ前記脚部を介して前記ストッパーの係合を解除する一対のボタンと、
前記一対のボタンを離反方向に付勢することで前記脚部を介して前記ストッパーを係合方向に付勢するボタン付勢バネ９７と、
前記サムターンボス４９のコアベース側の面に突設される一対の腕部５１と、
前記コアベース３１のサムターンボス側の面に突設され前記腕部５１と係合して前記コアベース３１と前記サムターンボス４９を連動する一対の弧状突起４７と、
前記ストッパーに形成され前記弧状突起４７により押圧されて前記固定筒４５に対する前記ストッパーの係合を解除するストッパー解除板７１と、
前記コアベース３１に装着され前記一対の弧状突起４７の遊び空間５５に相対移動可能に配置される前記腕部５１を中立位置に保持する腕部付勢バネ５３と、
を具備することを特徴とする。
【００１０】
この防犯サムターン１１では、室内からの操作時、ボタンを、ボタン付勢バネ９７の付勢力に抗して押下し、ストッパーを後退させて固定筒４５との係合状態を解く。ストッパーのストッパー解除板７１が、中心に寄り、互いが近づく。サムターン本体３７を回すと、サムターン本体３７と一体のサムターンボス４９の後方の一対の腕部５１が、コアベース３１の弧状突起４７に当接する。このとき、サムターンボス４９は腕部付勢バネ５３の付勢力に抗して回転と、遊び空間５５を移動した後、弧状突起４７と当接する。その後、一対の腕部５１が、弧状突起４７を介してコアベース３１を回転させる。コアベース３１に連動連結されている錠機構部に入力となる。コアベース３１とサムターンボス４９とは、腕部付勢バネ５３が介在することで、遊びを有しながら遊び空間５５の中立位置に保持された状態に復帰する。
一方、室外からの操作時、シリンダー錠２９を合鍵で回転操作すると、錠機構部を介してコアベース３１が回転開始する。腕部付勢バネ５３の付勢力に抗してコアベース３１の弧状突起４７がストッパーのストッパー解除板７１をこじるように互いを近接方向に作動させる。これにより、ストッパーを固定筒４５から後退させ、互いの係合状態を解く。同時にボタンを後退させて、遊び空間５５における腕部５１の遊び分を弧状突起４７が回転する。その後、弧状突起４７がサムターンボス４９の腕部５１を押し、コアベース３１は、サムターンボス４９の回転、サムターン本体３７を回転させることになる。
【００１１】
本発明の請求項２記載の防犯サムターン１１は、請求項１記載の防犯サムターン１１であって、
前記サムターン本体３７には、回転位置確認手段が設けられていることを特徴とする。
【００１２】
この防犯サムターン１１では、従来の防犯カバー等を被せるのと異なり、垂直・水平姿勢が、回転位置確認手段によって視認可能となる。
【発明の効果】
【００１３】
本発明に係る請求項１記載の防犯サムターンによれば、部品点数を少なくして、小型化及び製品コスト低減が可能となるとともに、扉からの出寸法を小さくできる。
【００１４】
本発明に係る請求項２記載の防犯サムターンによれば、一般的なサムターンと同様に、室内側からの施解錠状態を容易に確認できる。
【図面の簡単な説明】
【００１５】
【図１】本発明の実施形態に係る防犯サムターンを屋内側から見た正面図である。
【図２】図１の防犯サムターンを裏側から見た背面図である。
【図３】図１に示した防犯サムターンの平断面図である。
【図４】図１に示した防犯サムターンの側断面図である。
【図５】図１に示した防犯サムターンの要部を分解した平断面図である。
【図６】図１に示した防犯サムターンの要部を分解した側断面図である。
【図７】サムターンボス、ストッパー、腕部付勢バネ及びコアベースの分解斜視図である。
【図８】屋内側からの操作による防犯サムターンの要部の作動過程を表す動作説明図である。
【図９】屋外側からの操作による防犯サムターンの要部の作動過程を表す動作説明図である。
【発明を実施するための形態】
【００１６】
以下、本発明に係る実施形態を図面を参照して説明する。
図１は本発明の実施形態に係る防犯サムターンを屋内側から見た正面図、図２は図１の防犯サムターンを裏側から見た背面図、図３は図１に示した防犯サムターンの平断面図、図４は図１に示した防犯サムターンの側断面図、図５は図１に示した防犯サムターンの要部を分解した平断面図、図６は図１に示した防犯サムターンの要部を分解した側断面図、図７はサムターンボス、ストッパー、腕部付勢バネ及びコアベースの分解斜視図である。
本実施の形態による防犯サムターン１１が取付けられる扉１３には被取付体としてのケース１５が台座１７を介して設けられる。扉１３には台座１７が台座固定ビス１９によって螺着され、ケース１５はこの台座１７を貫通するケース固定ビス２１が、屋外側のエスカチオン２３に植設されたケース固定ボス２５に螺着される。本実施の形態ではケース１５は略箱状に形成され扉１３の屋内側の面に露出して固定される。防犯サムターン１１は、所謂ワンドア・ツーロックを実現させるための後付け用の錠として好適に用いることができる。すなわち、既にサムターン付きの錠箱が設けられている扉１３の第２のサムターンとして、既存の錠とは別体で後付けすることができる。この場合、図示しないが、扉枠側の屋内面には後述するデッドバー２７の係止具が必要となる。
【００１７】
また、この防犯サムターン１１は、上記のように単体で扉１３に設けても良く、或いは扉１３に内蔵された錠箱と連動可能に設けることもできる。通常、錠箱は、ラッチボルト、デッドボルト、及びこれらを扉１３の木口から進退させる錠箱機構部を内設している。錠箱のデッドボルトは、扉１３の屋外側の面に設けたシリンダー錠２９を合鍵（キー）によって回動することで扉１３の木口から進退される。防犯サムターン１１は、このような錠箱に連動させて用いた場合、後述するようにシリンダー錠２９の解錠操作によっても、サムターン本体操作の規制が解除される。
【００１８】
本実施の形態では、防犯サムターン１１が、ケース１５に内設される錠箱機構部と連動して取り付けられる場合を例に説明する。錠箱機構部には、扉１３の屋外面に鍵穴が露出するシリンダー錠２９が連結される。
【００１９】
ケース１５には防犯サムターン１１のコアベース３１に固定される入出力部材３３が設けられ、入出力部材３３はピン３５を介してデッドバー２７に係合している。デッドバー２７は、防犯サムターン１１のサムターン本体３７が回動されると、コアベース３１，入出力部材３３，ピン３５を介してケース１５の左側または右側から突出される。従って、突出されたデッドバー２７の先端が、扉枠側に固設された係止具に係止することで、扉１３の開放を規制する施錠が可能となる。
【００２０】
なお、本実施の形態では、防犯サムターン１１が扉１３の屋外側のシリンダー錠２９と連動するため、ピン３５の先端には接続プレート３９の一端が固定され、接続プレート３９の他端にはシリンダー錠２９に連動連結されるジョイント軸４１が固定される。コアベース３１からの回転力は、デッドバー２７をスライドさせるとともに、ピン３５，接続プレート３９，ジョイント軸４１を介してシリンダー錠側へ伝達される。また、シリンダー錠側による操作力はジョイント軸４１、接続プレート３９，ピン３５，入出力部材３３を介してコアベース３１へ伝達される。デッドバー２７は、つるまきバネ４３によってスライド方向両端に付勢されている。
【００２１】
ケース１５には固定筒４５が固定される。固定筒４５の内部にはコアベース３１が回転自在に内設され、コアベース３１は上述のように後部がケース内の入出力部材３３に連結されている。コアベース３１のサムターンボス４９側の面には一対の弧状突起４７が突設され、一対の弧状突起４７はサムターンボス４９の腕部５１と係合してコアベース３１とサムターンボス４９を連動する。また、コアベース３１には腕部付勢バネ５３が装着され、腕部付勢バネ５３は一対の弧状突起４７の遊び空間５５（図８参照）に相対移動可能に配置される腕部５１を、中立位置に保持する。
【００２２】
固定筒４５の先端側内部には、サムターン本体３７の取り付けられるサムターンボス４９が回転自在に内設される。サムターンボス４９は、サムターン本体３７に固定され、コアベース３１に所定の遊び角を許容して連動回転する。サムターンボス４９のコアベース３１側の面には上記の一対の腕部５１が突設され、腕部５１はコアベース３１と係合する。サムターンボス４９には、後述するボタンの脚部が貫通する透孔５７が穿設されている。
【００２３】
サムターン本体３７は、例えば円筒状に形成される。これにより、針金をサムターン本体３７に引っ掛けようとしたり、棒を当てて押し回ししようとしたりしても、角部がないため針金や棒が滑り易く、これら不正な回転操作力が印加され難くなっている。また、角部がなくなることで、手指によるフィット感も良好となる。そして、サムターン本体３７の屋内側端面に近接した外周には直径方向の両側で一対の凹み部５９が形成され、この凹み部５９には後述するボタンの押下部が配置される。
【００２４】
ストッパーは、一対で構成され、左ストッパー６１と、右ストッパー６３とからなる。左ストッパー６１，右ストッパー６３は、固定筒４５に軸線直交方向で摺動自在に内設され、固定筒４５に係合することでサムターン本体３７の回転を阻止する。左ストッパー６１，右ストッパー６３には脚部係合部６５が形成され、脚部係合部６５は上ボタン６７，下ボタン６９に設けられた脚部９３，９５と係合する。左ストッパー６１，右ストッパー６３にはストッパー解除板７１が形成される。また、左ストッパー６１，右ストッパー６３には溝係合部７３が形成され、溝係合部７３は固定筒４５の係合溝７５，横係合溝７７に進入可能となっている。
【００２５】
一対の左ストッパー６１，右ストッパー６３は、ボタン６７，６９の脚部９３，９５が脚部係合部６５に係合されることで、固定筒４５の係合溝７５，横係合溝７７に係合するようになっている。左ストッパー６１，右ストッパー６３は、半径方向内側へ摺動されることで、溝係合部７３が係合溝７５，横係合溝７７から抜け、係合が解除される。また、左ストッパー６１，右ストッパー６３は、ストッパー解除板７１が、コアベース３１の弧状突起４７により押圧されることによっても、溝係合部７３が係合溝７５，横係合溝７７から抜け、係合が解除される。
【００２６】
サムターン本体３７は、固定筒４５の屋内側端面から回転自在に外挿される。固定筒４５はケース１５に固定されるので、サムターン本体３７はこの固定筒４５に対して回動自在となる。サムターン本体３７の屋内側端面には直径方向のボタン収容溝７９が形成される。ボタン収容溝７９の長手方向中央部にはボタン脚部貫通穴８１が穿設される。ボタン脚部貫通穴８１は固定筒４５の端面開口穴８３を介して固定筒４５の内部に連通する。サムターン本体３７の屋内側端面には、ボタン収容溝７９に後述のボタンを収容した状態で、サムターンプレート８５が固定される。
【００２７】
サムターンプレート８５の屋内側面にはボス固定ビス８７の頭部が表出し、この頭部はサムターンプレート８５に係止されるキャップ８９によって覆われる。これにより、キャップ８９は、サムターン本体３７の屋内側端面に表出するビス頭部を覆う。このキャップ８９の屋内側の面には、サムターン本体３７の回転位置を視認できるようにした回転位置確認手段としての回転位置確認用マーク９１が設けられている。回転位置確認用マーク９１は、印刷の他、微少な凸部或いは凹部で形成されてもよい。この回転位置確認用マーク９１は、板状サムターンの先端面を表すように、例えば−字状、矩形状に形成される。
【００２８】
サムターン本体３７のボタン収容溝７９には溝方向に摺動自在となったボタンである一対の上ボタン６７，下ボタン６９が収容される。上ボタン６７，下ボタン６９は、サムターン本体３７の外周面から一部が突出され、同時に押し込まれることでサムターン本体３７の半径方向内側へスライドされストッパー６１，６３の係合を解除する。上ボタン６７，下ボタン６９は、サムターン本体３７の凹み部内で押下部が突出されている。上ボタン６７，下ボタン６９は、コアベース３１の方向へ向かって突出する脚部である上脚部９３，下脚部９５を有しており、略Ｔ字状に形成されている。この上脚部９３，下脚部９５は、上記した左ストッパー６１，右ストッパー６３の脚部係合部６５に係合される。
【００２９】
また、上ボタン６７，下ボタン同士の間にはボタン付勢バネ９７が挟入され、ボタン付勢バネ９７は、上ボタン６７，下ボタン６９を離反方向へ付勢している。上ボタン６７，下ボタン６９は、ボタン付勢バネ９７によって離反方向へ配置されることで、上脚部９３，下脚部９５が水平に並ぶようになっている。そして、この上脚部９３，下脚部９５を脚部係合部６５に係合させた一対の左ストッパー６１，右ストッパー６３は、上脚部９３，下脚部９５が水平配置されることで係合溝７５に係合する。
【００３０】
一方、上ボタン６７，下ボタン６９は、ボタン付勢バネ９７の付勢力に抗して接近方向へ押し込まれることで、上脚部９３，下脚部９５が互い違いに作動する。これにより、一対の左ストッパー６１，右ストッパー６３を、半径方向内側へ摺動させて、係合溝７５との係合を解除させるよう作動する。
【００３１】
次に、上記の構成を有する防犯サムターン１１の作用を説明する。
図８は屋内側からの操作による防犯サムターン１１の要部の作動過程を表す動作説明図、図９は屋外側からの操作による防犯サムターン１１の要部の作動過程を表す動作説明図である。
防犯サムターン１１は、施錠状態において、サムターン本体３７の回転位置確認用マーク９１が例えば水平方向に位置している。
防犯サムターン１１では、図８に示す室内からの操作時、上ボタン６７，下ボタン６９を、ボタン付勢バネ９７の付勢力に抗して押下し、左ストッパー６１，右ストッパー６３を後退させて固定筒４５との係合状態を解く。左ストッパー６１，右ストッパー６３のストッパー解除板７１が、中心に寄り、互いが近づく。サムターン本体３７を回すと、サムターン本体３７と一体のサムターンボス４９の後方の一対の腕部５１が、コアベース３１の弧状突起４７に当接する。
【００３２】
このとき、サムターンボス４９は腕部付勢バネ５３の付勢力に抗して回転と、遊び空間５５を移動した後、弧状突起４７と当接する。その後、一対の腕部５１が、弧状突起４７を介してコアベース３１を回転させる。この回転操作力がコアベース３１に連動連結されている錠機構部に入力される。コアベース３１とサムターンボス４９とは、腕部付勢バネ５３が介在することで、遊びを有しながら遊び空間５５の中立位置に保持された状態に復帰する。
【００３３】
一方、図９に示す室外からの操作時、シリンダー錠２９を合鍵で回転操作すると、錠機構部を介してコアベース３１が回転開始する。腕部付勢バネ５３の付勢力に抗してコアベース３１の弧状突起４７が左ストッパー６１，右ストッパー６３のストッパー解除板７１をこじるように互いを近接方向に作動させる。これにより、左ストッパー６１，右ストッパー６３を固定筒４５から後退させ、互いの係合状態を解く。同時に上ボタン６７，下ボタン６９を上脚部９３，下脚部９５を介して後退させて、遊び空間５５における腕部５１の遊び分を弧状突起４７が回転する。その後、弧状突起４７がサムターンボス４９の腕部５１を押し、コアベース３１は、サムターンボス４９の回転、サムターン本体３７を回転させることになる。
【００３４】
また、防犯サムターン１１は、サムターン本体３７に、回転位置確認手段が設けられている。従来の防犯カバー等を被せるのと異なり、垂直・水平姿勢が、回転位置確認手段によって視認可能となる。これにより、一般的な板形状等のサムターンと同様に、室内側からの施解錠状態を容易に確認できる。
【００３５】
この防犯サムターン１１では、一対の上ボタン６７，下ボタン６９をそれぞれ同時に押下した状態でサムターン本体３７を回転させなければ、サムターン本体３７による解錠操作が行えない。これにより、挿入した針金や棒等をサムターン本体３７に引っ掛ける等して、サムターン本体３７を回転することによる不正解錠が阻止される。また、一般的なサムターンと同様に、サムターン本体３７を摘んで回動操作が行えるとともに、屋外からのシリンダー錠２９による合鍵操作時には左ストッパー６１，右ストッパー６３が自動解除されてサムターン本体３７が回転されるので、良好な操作性が確保される。さらに、従来の防犯カバーが被せられる構成と異なり、回転位置確認用マーク９１によってサムターン本体３７の垂直・水平姿勢が視認可能となるので、一般的なサムターンと同様に、室内側からの施解錠状態が容易に確認できるようになる。
【００３６】
そして、防犯サムターン１１は、サムターンボス４９，左ストッパー６１，右ストッパー６３，コアベース３１の一部分に、腕部５１，ストッパー解除板７１，弧状突起４７の形状部分が追加形成されることで、従来必要であったサムターン筒、一対の解除交差部材、二対の挟持板が省略されている。
【００３７】
なお、上述した実施の形態では、サムターン本体３７の形状を円筒状に形成した例について述べたが、これに限ることはなく、楕円状に中途部分が膨出形状とされている形状としてもよく、或いは錐状や角柱状などの形状としてもよい。
【００３８】
従って、本実施形態に係る防犯サムターン１１によれば、部品点数を少なくして、小型化及び製品コスト低減が可能となるとともに、扉１３からの出寸法を小さくできる。
【符号の説明】
【００３９】
１１…防犯サムターン
１３…扉
１５…被取付体（ケース）
３１…コアベース
３３…入出力部材
３７…サムターン本体
４５…固定筒
４７…弧状突起
４９…サムターンボス
５１…腕部
５３…腕部付勢バネ
５５…遊び空間
６１…ストッパー（左ストッパー）
６３…ストッパー（右ストッパー）
６７…ボタン（上ボタン）
６９…ボタン（下ボタン）
７１…ストッパー解除板
９１…回転位置確認手段（回転位置確認用マーク）
９３…脚部（上脚部）
９５…脚部（下脚部）
９７…ボタン付勢バネ
【図１】
2014173380.tif 000003
【図２】
2014173380.tif 000004
【図３】
2014173380.tif 000005
【図４】
2014173380.tif 000006
【図５】
2014173380.tif 000007
【図６】
2014173380.tif 000008
【図７】
2014173380.tif 000009
【図８】
2014173380.tif 000010
【図９】
2014173380.tif 000011